(57)【特許請求の範囲】
【請求項１】
送風機を組付けた本体枠の吸込側となる前面に化粧グリルを装着した換気装置であって、その化粧グリルが、前面に開放部分を有し前記本体枠に装着されるグリル枠部と、このグリル枠部に一端側において枢支され、通常においてはグリル枠部の前面を被覆し、駆動手段による回動によって前記グリル枠部の前面との間に前記本体枠の吸込口に連通する通風空間を形成する可動パネル部とにより構成され、そのグリル枠部は、前記可動パネル部の枢支側の前記本体枠の前面に対する離反距離の方が反枢支側の本体枠の前面に対する離反距離より大きく構成され、前記グリル枠部の開放部分が前記本体枠内の送風機の羽根に対して反枢支側が枢支側より近づくように傾斜したことを特徴とする換気装置。
【請求項２】
請求項１に記載の換気装置であって、グリル枠部の本体枠の前面に対する離反距離を可動パネル部の枢支側から反枢支側に向かって円弧形状をもって漸減させ、可動パネル部も前記グリル枠部に倣って円弧状に形成した換気装置。
【請求項３】
請求項１又は請求項２のいずれかに記載の換気装置であって、可動パネル部を弾性部材の付勢により通常においてグリル枠部の前面を被覆するように構成するとともに、駆動手段を駆動機と、伝達機構を介してこの駆動機により回動されるクランクとにより構成し、前記クランクの回動により可動パネル部の背面を押圧して前記弾性部材の付勢に抗して可動パネル部を回動させるようにした換気装置。
【請求項４】
請求項３に記載の換気装置であって、クランクの当る可動パネル部の背面にクランクが摺動する傾斜付きの摺動部を設けた換気装置。
【請求項５】
請求項３又は請求項４のいずれかに記載の換気装置であって、クランクの必要以上の回動を規制する回動規制手段を設けた換気装置。
【請求項６】
請求項３〜請求項５までのいずれかに記載の換気装置であって、クランクに伝達機構との連結部の移動を防止し、しかも整流機能も果たす整流手段を設けた換気装置。
【請求項７】
請求項１〜請求項６までのいずれかに記載の換気装置であって、駆動手段を可動パネル部の枢支側に配設した換気装置。
【請求項８】
請求項１〜請求項７までのいずれかに記載の換気装置であって、グリル枠部の前面における可動パネル部の枢支側に、同可動パネル部側に延出する整流手段を設けた換気装置。
【請求項９】
請求項１〜請求項８までのいずれかに記載の換気装置であって、グリル枠部と可動パネル部とにより形成される略扇形の通風空間に整流手段を設けた換気装置。
【請求項１０】
請求項６又は請求項８のいずれかに記載の換気装置であって、整流手段が本体枠の吸込み部分と駆動手段側との障壁構造をなすようにした換気装置。
【請求項１１】
請求項１〜請求項１０までのいずれかに記載の換気装置であって、グリル枠部に挿入口を形成しこの挿入口に可動パネル部側に設けた支持突縁を挿入して同可動パネル部を前記グリル枠部に回動可能に枢支するとともに、前記可動パネル部の前記支持突縁により可動パネル部の閉止状態においては前記挿入口が塞がれる構成の換気装置。
【請求項１２】
請求項１１に記載の換気装置であって、支持突縁にグリル枠部の挿入口の口縁に引っ掛かり可動パネル部の抜け出しを防止し、かつ可動パネル部の回動範囲を限定する回動規定手段を設けた換気装置。
【請求項１３】
請求項１〜請求項１２までのいずれかに記載の換気装置であって、グリル枠部における前面の開放部分の口縁をＲ形状に構成した換気装置。
【請求項１４】
請求項１〜請求項１３までのいずれかに記載の換気装置であって、送風機を軸流ファンで構成した換気装置。
【請求項１５】
請求項１〜請求項１４までのいずれかに記載の換気装置であって、可動パネル部の背面にクッション材を貼着した換気装置。
【発明の詳細な説明】
【０００１】
【発明の属する技術分野】
本発明は、送風機を組付けた本体枠の前面に装着した化粧グリルが開閉動する換気装置に関するものである。
【０００２】
【従来の技術】
前面の化粧グリルが停止時には本体枠の前面を覆い、運転時には本体枠から離れて通風路を形成する換気装置は、化粧グリルにより容易に意匠性を高めることができ、送風機等が隠れているためインテリア性にも富み広く用いられている。従来のこの種の換気装置としては、例えば特開平８―１２８６９０号公報や実開昭５９―７２４３３号公報に示されているようなものがある。前者は図１９に示すように、送風機４０を有する本体４１の前面に、開閉動するパネル４２を備えたグリル枠４３が装着されている。グリル枠４３は中央に本体４１に連通する通気口を有し、この通気口に蓋状にパネル４２が装着されている。パネル４２はグリル枠４３に前後方向へ平行移動できるように組付けられ、通常はグリル枠４３に密着し通気口を塞ぐ位置にバネにより付勢されている。グリル枠４３の内側には駆動機４４とこれによって回動するアーム４５が設けられ、駆動機４４によりアーム４５が回動することにより、アーム４５に押されバネの付勢に抗してパネル４２がグリル枠４３から離反し、通気口が開放するものである。後者は、図２０に示すようにグリル枠４３の前面にパネル４２が回動可能に装着され、駆動機によって閉止状態からドアのようにパネル４２が大きく開くように構成されている。
【０００３】
【発明が解決しようとする課題】
上記した従来の換気装置において、前者は運転時においても内装部品を隠すことができ、外観性能が優れているが、大風量の処理が困難であり、低騒音化も図りにくいといった問題点がある。即ち、壁面に取付けて排気を行う換気装置には、送風機４０に圧力が殆どかからない施工条件が主であり、一般に軸流ファンや斜流ファンが多く用いられているが、軸流ファンは大風量が得られ低騒音でもあるが、圧力に弱く、送風羽根の全面をパネル４２で覆う構造では送風羽根に圧力がかかり、送風性能が悪化する。そのため上記した従来の換気装置では、送風羽根に少し圧力がかかる条件で中風量が得られ、騒音レベルも中程度の斜流ファンが採用されている。一方、後者の換気装置においても送風性能を確保するにはパネル４２を大きく開かせなくてはならず、運転時の外観性能が大きく損なわれるといった問題点がある。
【０００４】
本発明は、係る従来の問題点を解決するためになされたものであって、その課題とするところは、運転、停止時の外観性能に優れた換気装置を得ることであり、運転、停止時の外観性能が優れ、大風量の処理ができる低騒音の換気装置を得ることであり、その換気装置の機能の向上や安定性を推進することである。
【０００５】
【課題を解決するための手段】
前記課題を達成するために請求項１の発明は、送風機を組付けた本体枠の吸込側となる前面に化粧グリルを装着した換気装置であって、その化粧グリルが、前面に開放部分を有し前記本体枠に装着されるグリル枠部と、このグリル枠部に一端側において枢支され、通常においてはグリル枠部の前面を被覆し、駆動手段による回動によって前記グリル枠部の前面との間に前記本体枠の吸込口に連通する通風空間を形成する可動パネル部とにより構成され、そのグリル枠部は、可動パネル部の枢支側の本体枠の前面に対する離反距離の方が反枢支側の本体枠の前面に対する離反距離より大きく構成され、前記グリル枠部の開放部分が前記本体枠内の送風機の羽根に対して反枢支側が枢支側より近づくように傾斜する手段を採用する。
【０００６】
前記課題を達成するために請求項２の発明は、請求項１に係る前記手段におけるグリル枠部の本体枠の前面に対する離反距離を、可動パネル部の枢支側から反枢支側に向かって円弧形状をもって漸減させ、可動パネル部もグリル枠部に倣って円弧状に構成する手段を採用する。
【０００７】
前記課題を達成するために請求項３の発明は、請求項１又は請求項２のいずれかに係る前記手段における可動パネル部を、弾性部材の付勢により通常においてグリル枠部の前面を被覆するように構成するとともに、駆動手段を駆動機と、伝達機構を介してこの駆動機により回動されるクランクとにより構成し、クランクの回動により可動パネル部の背面を押圧して弾性部材の付勢に抗して可動パネル部を回動させるようにする手段を採用する。
【０００８】
前記課題を達成するために請求項４の発明は、請求項３に係る前記手段におけるクランクの当る可動パネル部の背面にクランクが摺動する傾斜付きの摺動部を設ける手段を採用する。
【０００９】
前記課題を達成するために請求項５の発明は、請求項３又は請求項４のいずれかに係る前記手段におけるクランクの必要以上の回動を規制する回動規制手段を設ける手段を採用する。
【００１０】
前記課題を達成するために請求項６の発明は、請求項３〜請求項５までのいずれかに係る前記手段におけるクランクに伝達機構との連結部の移動を防止し、しかも整流機能も果たす整流手段を設ける手段を採用する。
【００１１】
前記課題を達成するために請求項７の発明は、請求項１〜請求項６までのいずれかに係る前記手段における駆動手段を、可動パネル部の枢支側に配設する手段を採用する。
【００１２】
前記課題を達成するために請求項８の発明は、請求項１〜請求項７までのいずれかに係る前記手段におけるグリル枠部に、その前面における可動パネル部の枢支側に、可動パネル部側に延出する整流手段を設ける手段を採用する。
【００１３】
前記課題を達成するために請求項９の発明は、請求項１〜請求項８までのいずれかに係る前記手段におけるグリル枠部と可動パネル部とにより形成される略扇形の通風空間に整流手段を設ける手段を採用する。
【００１４】
前記課題を達成するために請求項１０の発明は、請求項６又は請求項８のいずれかに係る前記手段における整流手段が本体枠の吸込み部分と駆動手段側との障壁構造をなすようにする手段を採用する。
【００１５】
前記課題を達成するために請求項１１の発明は、請求項１〜請求項１０までのいずれかに係る前記手段におけるグリル枠部に、挿入口を形成しこの挿入口に可動パネル部側に設けた支持突縁を挿入して可動パネル部をグリル枠部に回動可能に枢支するとともに、可動パネル部の支持突縁により可動パネル部の閉止状態においては挿入口が塞がれる構成とする手段を採用する。
【００１６】
前記課題を達成するために請求項１２の発明は、請求項１１に係る前記手段における支持突縁に、グリル枠部の挿入口の口縁に引っ掛かり可動パネル部の抜け出しを防止し、かつ可動パネル部の回動範囲を限定する回動規定手段を設ける手段を採用する。
【００１７】
前記課題を達成するために請求項１３の発明は、請求項１〜請求項１２までのいずれかに係る前記手段におけるグリル枠部の開放部分の口縁をＲ形状に構成する手段を採用する。
【００１８】
前記課題を達成するために請求項１４の発明は、請求項１〜請求項１３までのいずれかに係る前記手段における送風機を軸流ファンで構成する手段を採用する。
【００１９】
前記課題を達成するために請求項１５の発明は、請求項１〜請求項１４までのいずれかに係る前記手段における可動パネル部の背面にクッション材を貼着する手段を採用する。
【００２０】
【発明の実施の形態】
図１〜図１８によって示す本実施の形態は、図１〜図３に示すように送風機１を組付けた風洞を構成する本体枠２の吸込側となる前面に化粧グリル３を着脱可能に装着した換気装置に関するものである。送風機１は電動機４に軸流式の送風羽根５を着脱可能に装着して構成され、本体枠２前面のベルマウスをなす吸込口６から本体枠２の後部の排気口へ向かう換気流を形成する。化粧グリル３は、本体枠２に着脱可能に装着される前面の開放したグリル枠部７と、グリル枠部７の下端側において枢支され、通常においてはグリル枠部７の前面を被覆し、駆動手段による回動によってグリル枠部７の外周部に図１に示すような略扇形の通風空間８を形成する可動パネル部９とにより構成され、本体枠２の前面全体を覆い換気装置の前面の意匠を構成している。
【００２１】
グリル枠部７は、本体枠２の周側に嵌合する立上り部１０に続く前面部を備えたプラスチックよりなる枠構造体で、前面部の下縁部１１は、図４に示すように部分的に前方に突出していてその段差部１２に可動パネル部９を枢支するためのスリット状の挿入口１３が間隔をもって下向きに形成されている。グリル枠部７の立上り部１０は可動パネル部９を枢支する側の下部が最も高く構成され、反枢支側である上部に向かって円弧をなして高さが漸減している。従って、グリル枠部７の前面部と本体枠２の前面との離反距離は、可動パネル部９を枢支する枢支側が大きく反枢支側に向かって漸減している。グリル枠部７の下縁部１１に続く立上り部１０を除く他の立上り部１０には可動パネル部９の周側部が外側から嵌る段差１４が形成され、この段差１４を持つ立上り部１０に続く両側縁部１５と上縁部１６と下縁部１１によりグリル枠部７の前面部が形成されている。この前面部に囲まれる開放部分は、本体枠２の送風羽根５の臨む吸込口６に連通し、その口縁は図５に示すように吸込み性能を向上させるべくＲ形状１７に構成されている。
【００２２】
可動パネル部９は、グリル枠部７の下縁部１１を除く前面部全体を被覆する形状を備え、グリル枠部７に倣って図１，２に示すように円弧状に形成されている。可動パネル部９の下端縁には、図６に示すようにグリル枠部７の挿入口１３に遊嵌できる支持突縁１８が突出して形成され、この支持突縁１８を挿入口１３に差込むことにより、支持突縁１８を支点として可動パネル部９が図７，８に示すように回動可能に枢支される。支持突縁１８の端には挿入口１３の口縁に掛止まるフック部１９を備えた回動規定突起２０が形成されていて、可動パネル部９の挿入口１３からの抜止めと、挿入口１３口縁への当接により可動パネル部９の回動範囲が限定されている（図７，８参照）。可動パネル部９の背面とグリル枠部７の前面との間には弾性部材としてのバネ２１が掛け渡され、このバネ２１によって可動パネル部９はグリル枠部７の前面部に密着する状態に付勢されている。グリル枠部７に密着した状態の可動パネル部９の前面とグリル枠部７の下縁部１１とは図２に示すように段差なく連続した曲面を構成し、停止時の換気装置の前面意匠を構成している。このような可動パネル部９の枢支構造を採用することにより、ピン等による構造より製造が容易であり、破損も少なく機能の安定性を確保することができ、万が一、バネ２１の掛着部等の破損が生じても、回動規定突起２０のフック部１９により可動パネル部９がグリル枠部７から外れ落下してしまうようなこともない。
【００２３】
駆動手段は、駆動機２２と、伝達機構とクランク２３とにより構成され何れもグリル枠部７の可動パネル部９の枢支側に配設されている。駆動機２２は図３に示すようにグリル枠部７の下部一側寄りに取付けられ、備え付けられている伝達機構を構成するワイヤ２４を巻き取り、また繰り出すことができる。クランク２３は略Ｍ型に構成され、グリル枠部７の前面における開放部の中央直下に両端が支持構造２５により回動可能に支持されている（図９，１０，１１参照）。支持構造にはクランク２３の必要以上の回動を規制する回動規制突起２６が図１０，１１に示すように形成されている。この回動規制突起２６により、清掃時等に化粧グリル３を本体枠２から外し、可動パネル部９を外してもクランク２３は回動規制突起２６により自由回動が拘束され、化粧グリル３の再組付け時には必ず元の状態に戻ることになり、メンテナンス性が向上する。
【００２４】
クランク２３の中央の凹状部分には図９に示すように駆動機２２からのワイヤ２４の端が連結具２７により連結されている。ワイヤ２４はクランク２３の下方に設けられたプーリ２８に掛装され、巻き取りによる引っ張り方向がプーリ２８によって略９０度変えられるようになっている。クランク２３には板状の整流板２９が図９に示すように嵌め装着されている。この整流板２９はクランク２３の両端縁を差込み固定する係合片３０と差込み深さを規定するストッパ３１と中央にワイヤ２４のクランク２３との連結部の連結具２７を係合させる係合孔３２とを備えていて、ワイヤ２４の連結部の移動を規制する機能も果たしている。
【００２５】
クランク２３と整流板２９とは、可動パネル部９を閉じ状態に付勢しているバネ２１の力を可動パネル部９の背面を介して受け、通常においては起立状態になっている。このクランク２３の当る可動パネル部９の背面には、図１１に示すように枢支側に下傾する傾斜面３３付きのクランク摺動部３４が設けられている。そして、クランク摺動部３４を除く可動パネル部９の背面には、クッション材３５が貼設され、結露の防止と可動パネル部９の閉止時のグリル枠部７への衝突音の発生が防止されている。可動パネル部９の回動量は、クランク２３の回動量に寄与するため駆動機２２の誤差や部品組立て時の誤差により可動パネル部９の回動量にばらつきが生じ易いが、クランク摺動部３４に傾斜面３３を構成することにより、クランク２３の回動量が変化しても可動パネル部９の回動量を略一定にすることができ、品質の安定性を高めることができる。
【００２６】
上記のような構成の本実施の形態の換気装置は、通常は可動パネル部９がグリル枠部７の前面に密着して可動パネル部９の枢支側から可動側に向かって厚みが漸減する意匠を構成しており、壁面からの突出量も少なくインテリア性の高い外観性能を示している。勿論、本体枠２側は化粧グリル３で総て隠されており、クッション材３５により可動パネル部９とグリル枠部７との間の気密も保持され、外気の侵入も防止されている。この状態では、枢支部分の挿入口１３も支持突縁１８が起立して塞いでおり、挿入口１３からの外気の室内側への侵入も防止されている。このように可動パネル部９は外観性能を向上させるばかりでなく、停止時の外気（冷気）の侵入を防ぐシャッター機能も果たしている。
【００２７】
換気装置に電源が供給されると送風機１が運転し、これとともに駆動機２２がワイヤ２４を巻き取り始め、クランク２３を回動させる。クランク２３は可動パネル部９のクランク摺動部３４を摺動していき、可動パネル部９の背面を押圧し、バネ２１の付勢に抗して可動パネル部９を回動させ、図１に示すように大きくない所定の角度に開かせる。この時、クランク２３の当り面はクランク摺動部３４の傾斜面３３であるため、回動によっても押圧力は安定して可動パネル部９に作用する。これにより、グリル枠部７の側部と可動パネル部９の側部との間に略扇形の通風空間８が形出され、ここから室内の空気が本体枠２に吸込まれていき、本体枠２の後端から室外へ排気される。この運転状態においても送風機１の送風羽根５等は可動パネル部９で隠されていて、斜めの状態にあった可動パネル部９が起立よりやや倒伏した状態に開くため、化粧グリル３のフラット感が得られインテリア性も外観性能も良好に維持される。運転状態において電源の供給が断たれると、送風機１は停止し駆動機２２の巻き取り力もフリーになり、バネ２１の付勢により可動パネル部９が回動し、初期の閉状態に戻る。この時、クッション材３５においてグリル枠部７に当るので、衝突音も殆どしない。
【００２８】
化粧グリル３は可動パネル部９を回動させ開閉する構成であるため、換気装置の標準施工状態である可動パネル部９の枢支側を下、可動側を上にして施工してあれば、換気装置の運転停止時に外気（冷気）が可動パネル部９とグリル枠部７の合わせ面よりたとえ漏れたとしても、人が居る化粧グリル３の下の床側には外気が直接流れることはなく、天井側に流れるため外気侵入による不快感を低減できる。また、可動パネル部９を回動させる駆動機２２やプーリ２８、クランク２３等を枢支側に集約して配設してあるため、可動側の厚さが最も薄くなり、インテリア性に優れ、略扇形の通風空間８も広い特性の良好な換気装置となる。
【００２９】
送風羽根５の中心位置は本体枠２の中心より可動パネル部９の可動側に偏心した位置になっているので、グリル枠部７の厚みが薄い部分から効率よく送風羽根５に空気を吸い込ませることができ、この点でも良好な特性を得ることができる。可動パネル部９の背面のクッション材３５は衝突音を軽減する機能とともに、外気温度が低くなった場合の可動パネル部９表面での結露の発生を防止する機能も果たす。
【００３０】
図１２〜図１５によって本実施の形態の換気装置Ａと、他の代表的な構成と思われる可動パネル構造３６を備えた換気装置Ｂ，Ｃを例示して特性について説明する。図１２は本実施の形態の換気装置Ａであり、図１３は化粧グリル枠の厚みが一定厚で、フラットな可動パネル構造３６を備えた換気装置Ｂであり、図１４は化粧グリル枠の厚みが一定厚で、可動パネル構造３６が平行移動する換気装置Ｃである。図１２，１３，１４における二本の矢印は、いずれも送風羽根５に対する直線的な吸込流の範囲を示している。換気装置Ｃでは、送風羽根５に効率良く空気が吸込まれないため、排気風量が確保できなくなる圧力点が非常に低い。換気装置Ｂでは、換気装置Ｃよりも特性は良いものの、送風羽根５の正面から吸込める極一般的な換気装置と比較すると特性は劣る。換気装置Ａでは、吸込流が広範囲に確保でき、送風羽根５に対する抵抗（圧力）が低くなり優れた特性が得られる。換気装置Ａと換気装置Ｂとの通風空間８である側面開口面積を比較しても、図１２，１３の図中に付随して示すように前者の方が１．５倍ほど広く確保することができる。送風特性を示した図１５でもわかるように換気装置Ａは、正面から吸込める換気装置（図１５にＤで示す）に近い特性が得られており、非常に効率良く送風羽根５に吸込まれることになる。
【００３１】
次に、可動パネル部９の枢支側にある整流板２９について説明する。整流板２９がないと、流速の高い空気が送風羽根５に吸込まれず、図１６に示すように可動パネル部９の枢支側に渦が発生し、騒音値が高くなる。整流板２９があると渦の発生が抑制され図１７に示すように空気を効率良く送風羽根５に吸込ませることができ、換気装置の低騒音化が推進できる。開放風量６０ｍ3 ／ｈ程度を処理する場合、騒音値を約１デシベル程は低下できる。
【００３２】
本実施の形態の整流板２９は、ワイヤ２４のクランク２３に対する連結部の位置ずれを防ぐ機能も備え、少ない部品点数でクランク２３の安定した動作を確保しているものである。また、整流板２９はその可動パネル部９を回動させる機構部に対し障壁構造となっていて、機構部に塵埃が付着することも防止でき、換気装置の寿命を延ばし、品質を安定したものとすることができる。
【００３３】
渦は吸込流の流速を低くすれば防ぐことが可能であり、図１８に示すように可動パネル部９の側面部分に配置しても効果がある。この場合、可動パネル部９の可動側近くに設ける方がより効果的である。この整流板２９は伸縮可能な構成とし、可動パネル部９を付勢しているバネ２１に沿って設けることにより、側方からバネ２１を隠すこともでき、運転時の換気装置の意匠性を向上させることができる。
【００３４】
なお、同様な構成で電動機４と送風羽根５を反転させ給気用の換気装置を構成してもよく、これにより可動パネル部９が給気流を天井側に案内するため、室内に居る人に直接給気流が当ることがなく、快適性の高い給気による換気が実施できる。また、送風機１については軸流ファンが適しているが、斜流ファンでも適用することができる。
【００３５】
【発明の効果】
請求項１の発明によれば、運転時特性の優れた換気装置が得られる。
【００３６】
請求項２の発明によれば、請求項１に係る前記効果とともに、外観性能がより向上する。
【００３７】
請求項３の発明によれば、請求項１又は請求項２のいずれかに係る前記効果とともに可動パネル部の回動動作を安定したものとすることができる。
【００３８】
請求項４の発明によれば、請求項３に係る前記効果とともにクランクの回動量のばらつきを吸収することができ、機能の安定性を推進できる。
【００３９】
請求項５の発明によれば、請求項３又は請求項４のいずれかに係る前記効果とともに分解組立が容易になり、メンテナンス性が向上する。
【００４０】
請求項６の発明によれば、請求項３〜請求項５までのいずれかに係る前記効果とともに、特性の向上と機能の安定性とを少ない部品点数で推進できる。
【００４１】
請求項７の発明によれば、請求項１〜請求項６までのいずれかに係る前記効果とともに化粧グリルの可動パネル部の回動側をより薄い厚みにでき、インテリア性がより向上する。
【００４２】
請求項８の発明によれば、請求項１〜請求項７までのいずれかに係る前記効果とともに低騒音化を推進できる。
【００４３】
請求項９の発明によれば、請求項１〜請求項８までのいずれかに係る前記効果とともに低騒音化を推進できる。
【００４４】
請求項１０の発明によれば、請求項６又は請求項８のいずれかに係る前記効果とともに駆動手段側への塵埃の侵入を防止することができる。
【００４５】
請求項１１の発明によれば、請求項１〜請求項１０までのいずれかに係る前記効果とともに構成の簡素化と密閉性の向上を容易に図ることができる。
【００４６】
請求項１２の発明によれば、請求項１１に係る前記効果とともに可動パネル部の落下の防止と可動パネル部の回動範囲の規定を簡素な構成によって実施することができる。
【００４７】
請求項１３の発明によれば、請求項１〜請求項１２までのいずれかに係る前記効果とともに吸込性能を向上させることができる。
【００４８】
請求項１４の発明によれば、請求項１〜請求項１３までのいずれかに係る前記効果とともに大風量の処理ができる換気装置が得られる。
【００４９】
請求項１５の発明によれば、請求項１〜請求項１４までのいずれかに係る前記効果とともに低騒音化と結露防止効果が得られる。
【図面の簡単な説明】
【図１】  実施の形態の換気装置の運転時を示す断面図である。
【図２】  実施の形態の換気装置の停止時を示す断面図である。
【図３】  実施の形態の換気装置の正面図である。
【図４】  実施の形態の換気装置の化粧グリルを示す断面構成図である。
【図５】  実施の形態の換気装置のグリル枠部の開放部の構成を示す拡大部分断面図である。
【図６】  実施の形態の換気装置の可動パネル部の枢支部分の構成を示す部分拡大図である。
【図７】  実施の形態の換気装置の可動パネル部の枢支部分の構成を示す部分拡大断面図である。
【図８】  実施の形態の換気装置の可動パネル部の枢支部分の構成を示す部分拡大断面図である。
【図９】  実施の形態の換気装置のクランク部分の平面図である。
【図１０】  実施の形態の換気装置のクランク支持部の断面図である。
【図１１】  実施の形態の換気装置のクランクとクランク摺動部を示す部分拡大断面図である。
【図１２】  実施の形態の換気装置の特性を示す構成図である。
【図１３】  実施の形態の換気装置の特性を比較するための換気装置の構成図である。
【図１４】  実施の形態の換気装置の特性を比較するための他の換気装置の構成図である。
【図１５】  実施の形態の換気装置と他の換気装置の特性を示す説明図である。
【図１６】  実施の形態の換気装置の低騒音機能を説明する説明図である。
【図１７】  実施の形態の換気装置の整流板の機能を示す説明図である。
【図１８】  実施の形態の他の換気装置の運転時を示す側面図である。
【図１９】  従来の換気装置の運転時を示す断面図である。
【図２０】  従来の他の換気装置の運転時を示す斜視図である。
【符号の説明】
１  送風機、  ２  本体枠、  ３  化粧グリル、  ５  送風羽根、  ７  グリル枠部、  ８  通風空間、  ９  可動パネル部、  １３  挿入口、  １７  Ｒ形状、  １８  支持突縁、  １９  フック部、  ２０  回動規定突起、  ２１  バネ、  ２２  駆動機、  ２３  クランク、  ２５  支持構造、  ２６  回動規制突起、  ２７  連結具、  ２９  整流板、  ３２  係合孔、  ３３  傾斜面、  ３４  クランク摺動部、  ３５  クッション材。
【図１】
0003684920.tif 000002
【図２】
0003684920.tif 000003
【図３】
0003684920.tif 000004
【図４】
0003684920.tif 000005
【図５】
0003684920.tif 000006
【図６】
0003684920.tif 000007
【図７】
0003684920.tif 000008
【図８】
0003684920.tif 000009
【図９】
0003684920.tif 000010
【図１０】
0003684920.tif 000011
【図１１】
0003684920.tif 000012
【図１２】
0003684920.tif 000013
【図１３】
0003684920.tif 000014
【図１４】
0003684920.tif 000015
【図１５】
0003684920.tif 000016
【図１６】
0003684920.tif 000017
【図１７】
0003684920.tif 000018
【図１８】
0003684920.tif 000019
【図１９】
0003684920.tif 000020
【図２０】
0003684920.tif 000021